【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
半導体集積回路装置の静止電流値を予め算出する静止電流値算出方法であって、
前記半導体集積回路装置を構成するセルに流れる静止電流値を含む静止電流値ライブラリと、
信号データと前記半導体集積回路装置の構成を示す回路データとに基づいて論理シミュレータにより予め作成され、前記装置の出力を測定するためのストローブ点における該装置の動作状態を示す動作状態データと
が予め作成され、
前記動作状態データに基づいて前記静止電流値ライブラリから各セルの静止電流値を読み出し、各セルの静止電流値を合計してストローブ点毎の半導体集積回路装置の静止電流値を求めるステップを備えた静止電流値算出方法。
【請求項２】
請求項１に記載の静止電流値算出方法において、
前記半導体集積回路装置の静止電流値を求めようとする測定点を指定する測定点指定データが予め作成され、
前記動作記録データのうち、前記測定点指定データにより指定された測定点と一致するストローブ点における動作状態データを測定点における動作状態データとして動作状態テーブルに記憶するステップを備えた静止電流値算出方法。
【請求項３】
請求項１に記載の静止電流値算出方法において、
前記半導体集積回路装置の構成を示す回路データには、該装置が静止状態とならないときの条件である禁止条件が含まれ、
前記禁止条件に基づいて、該禁止条件に前記ストローブ点が該当するか否かを判断し、前記禁止条件に該当しないストローブ点を測定点として該測定点における動作状態データのみを動作状態テーブルに記憶するステップを備えた静止電流値算出方法。
【請求項４】
請求項１に記載の静止電流値算出方法において、
前記静止電流値は、前記半導体集積回路装置を構成するセルの端子における信号値の組合せに基づいてセルに流れる静止電流値である静止電流値算出方法。
【請求項５】
請求項１乃至４のうちのいずれか１項に記載の静止電流値算出方法において、
前記求められた複数の静止電流値を所望の数だけ選択し、その選択した測定点に対する動作状態データと共に第２テーブルを作成するステップを備えた静止電流値算出方法。
【請求項６】
半導体集積回路装置の静止電流値を予め算出する静止電流値算出装置であって、
前記半導体集積回路装置を構成するセルに流れる静止電流値を含む静止電流値ライブラリと、信号データと前記半導体集積回路装置の構成を示す回路データとに基づいて論理シミュレータにより予め作成され、前記装置の出力を測定するためのストローブ点における該装置の動作状態を示す動作状態データとが記憶された記憶装置と、
前記動作状態データに基づいて前記静止電流値ライブラリから各セルの静止電流値を読み出し、各セルの静止電流値を合計してストローブ点毎の半導体集積回路装置の静止電流値を求める静止電流値算出手段を備えた静止電流値算出装置。
【請求項７】
請求項６に記載の静止電流値算出装置において、
予め前記半導体集積回路装置の静止電流値を求めようとする測定点を指定する測定点指定データが作成され、
前記動作記録データのうち、前記測定点指定データにより指定された測定点と一致するストローブ点における動作状態データを測定点における動作状態データとして一旦テーブルに記憶する測定点指定手段を備えた静止電流値算出装置。
【請求項８】
請求項６に記載の静止電流値算出装置において、
前記半導体集積回路装置の構成を示す回路データには、該装置が静止状態とならないときの条件である禁止条件が含まれ、
前記禁止条件に基づいて、該禁止条件に前記ストローブ点が該当するか否かを判断し、前記禁止条件に該当しないストローブ点を測定点として該測定点における動作状態データのみを動作状態テーブルに記憶する選択手段を備えた静止電流値算出装置。
【請求項９】
請求項６に記載の静止電流値算出装置において、
前記静止電流値は、前記半導体集積回路装置を構成するセルの端子における信号値の組合せに基づいてセルに流れる静止電流値である静止電流値算出装置。
【請求項１０】
請求項６乃至９のうちのいずれか１項に記載の静止電流値算出装置において、
前記静止電流値算出手段は、その時々の測定点の動作状態データと測定点に対して求めた静止電流値とを含む第１静止電流値テーブルを作成し、
前記求められた複数の静止電流値を所望の数だけ選択し、その選択した測定点に対する動作状態データと共に第２静止電流値テーブルを作成する絞込手段を備えた静止電流値算出装置。
【請求項１１】
請求項１乃至５のうちのいずれか１項に記載の静止電流値算出方法を実施するためのプログラムを記録した記録媒体。
【手続補正２】
【補正対象書類名】明細書
【補正対象項目名】０００７
【補正方法】変更
【補正の内容】
【０００７】
【課題を解決するための手段】
上記目的を達成するため、請求項１に記載の発明は、半導体集積回路装置の静止電流値を予め算出する静止電流値算出方法であって、前記半導体集積回路装置を構成するセルに流れる静止電流値を含む静止電流値ライブラリと、信号データと前記半導体集積回路装置の構成を示す回路データとに基づいて論理シミュレータにより予め作成され、前記装置の出力を測定するためのストローブ点における該装置の動作状態を示す動作状態データとが予め作成され、前記動作状態データに基づいて前記静止電流値ライブラリから各セルの静止電流値を読み出し、各セルの静止電流値を合計してストローブ点毎の半導体集積回路装置の静止電流値を求めるステップを備えた。


【手続補正３】
【補正対象書類名】明細書
【補正対象項目名】０００８
【補正方法】変更
【補正の内容】
【０００８】
請求項２に記載の発明は、請求項１に記載の静止電流値算出方法において、前記半導体集積回路装置の静止電流値を求めようとする測定点を指定する測定点指定データが予め作成され、前記動作記録データのうち、前記測定点指定データにより指定された測定点と一致するストローブ点における動作状態データを測定点における動作状態データとして動作状態テーブルに記憶するステップを備えた。


【手続補正４】
【補正対象書類名】明細書
【補正対象項目名】０００９
【補正方法】変更
【補正の内容】
【０００９】
請求項３に記載の発明は、請求項１に記載の静止電流値算出方法において、前記半導体集積回路装置の構成を示す回路データには、該装置が静止状態とならないときの条件である禁止条件が含まれ、前記禁止条件に基づいて、該禁止条件に前記ストローブ点が該当するか否かを判断し、前記禁止条件に該当しないストローブ点を測定点として該測定点における動作状態データのみを動作状態テーブルに記憶するステップを備えた。


【手続補正５】
【補正対象書類名】明細書
【補正対象項目名】００１０
【補正方法】変更
【補正の内容】
【００１０】
請求項４に記載の発明は、請求項１に記載の静止電流値算出方法において、前記静止電流値は、前記半導体集積回路装置を構成するセルの端子における信号値の組合せに基づいてセルに流れる静止電流値である。


【手続補正６】
【補正対象書類名】明細書
【補正対象項目名】００１１
【補正方法】変更
【補正の内容】
【００１１】
請求項５に記載の発明は、請求項１乃至４のうちのいずれか１項に記載の静止電流値算出方法において、前記求められた複数の静止電流値を所望の数だけ選択し、その選択した測定点に対する動作状態データと共に第２テーブルを作成するステップを備えた。


【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項６に記載の発明は、半導体集積回路装置の静止電流値を予め算出する静止電流値算出装置であって、前記半導体集積回路装置を構成するセルに流れる静止電流値を含む静止電流値ライブラリと、信号データと前記半導体集積回路装置の構成を示す回路データとに基づいて論理シミュレータにより予め作成され、前記装置の出力を測定するためのストローブ点における該装置の動作状態を示す動作状態データとが予め作成されて記憶装置に記憶され、前記動作状態データに基づいて前記静止電流値ライブラリから各セルの静止電流値を読み出し、各セルの静止電流値を合計してストローブ点毎の半導体集積回路装置の静止電流値を求める静止電流値算出手段を備えた。


【手続補正９】
【補正対象書類名】明細書
【補正対象項目名】００１４
【補正方法】変更
【補正の内容】
【００１４】
請求項７に記載の発明は、請求項６に記載の静止電流値算出装置において、予め前記半導体集積回路装置の静止電流値を求めようとする測定点を指定する測定点指定データが作成され、前記動作記録データのうち、前記測定点指定データにより指定された測定点と一致するストローブ点における動作状態データを測定点における動作状態データとして一旦テーブルに記憶する測定点指定手段を備えた。


【手続補正１０】
【補正対象書類名】明細書
【補正対象項目名】００１５
【補正方法】変更
【補正の内容】
【００１５】
請求項８に記載の発明は、請求項６に記載の静止電流値算出装置において、前記半導体集積回路装置の構成を示す回路データには、該装置が静止状態とならないときの条件である禁止条件が含まれ、前記禁止条件に基づいて、該禁止条件に前記ストローブ点が該当するか否かを判断し、前記禁止条件に該当しないストローブ点を測定点として該測定点における動作状態データのみを動作状態テーブルに記憶する選択手段を備えた。


【手続補正１１】
【補正対象書類名】明細書
【補正対象項目名】００１６
【補正方法】変更
【補正の内容】
【００１６】
請求項９に記載の発明は、請求項６に記載の静止電流値算出装置において、前記静止電流値は、前記半導体集積回路装置を構成するセルの端子における信号値の組合せに基づいてセルに流れる静止電流値である。


【手続補正１２】
【補正対象書類名】明細書
【補正対象項目名】００１７
【補正方法】変更
【補正の内容】
【００１７】
請求項１０に記載の発明は、請求項７乃至１０のうちのいずれか１項に記載の静止電流値算出装置において、前記静止電流値算出手段は、その時々の測定点の動作状態データと測定点に対して求めた静止電流値とを含む第１静止電流値テーブルを作成し、前記求められた複数の静止電流値を所望の数だけ選択し、その選択した測定点に対する動作状態データと共に第２静止電流値テーブルを作成する絞込手段を備えた。


【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項１１に記載の発明は、請求項１乃至５のうちのいずれか１項に記載の静止電流値算出方法を実施するためのプログラムを記録した記録媒体である。
（作用）
従って、請求項１，６に記載の発明によれば、半導体集積回路装置を構成するセルに流れる静止電流値を含む静止電流値ライブラリと、信号データ半導体集積回路装置の構成を示す回路データとに基づいて論理シミュレータにより予め作成され、装置の出力を測定するためのストローブ点におけるその装置の動作状態を示す動作状態データとが作成される。その動作状態データに基づいて静止電流値ライブラリから各セルの静止電流値が読み出され、各セルの静止電流値が合計されてストローブ点毎の半導体集積回路装置の静止電流値が精度良く求められる。


【手続補正１５】
【補正対象書類名】明細書
【補正対象項目名】００２０
【補正方法】変更
【補正の内容】
【００２０】
請求項２，７に記載の発明によれば、半導体集積回路装置の静止電流値を求めようとする測定点を指定する測定点指定データが予め作成される。その動作記録データのうち、測定点指定データにより指定された測定点と一致するストローブ点における動作状態データが測定点における動作状態データとして動作状態テーブルに記憶される。そして、その動作状態テーブルに記憶された動作状態データに基づいて静止電流値ライブラリから各セルの静止電流値が読み出され、各セルの静止電流値が合計されて測定点毎の半導体集積回路装置の静止電流値が精度良く求められる。


【手続補正１６】
【補正対象書類名】明細書
【補正対象項目名】００２１
【補正方法】変更
【補正の内容】
【００２１】
請求項３，８に記載の発明によれば、半導体集積回路装置の構成を示す回路データには、その装置が静止状態とならないときの条件である禁止条件が含まれている。その禁止条件に基づいて、その禁止条件にストローブ点が該当するか否かを判断し、禁止条件に該当しないストローブ点を測定点としてその測定点における動作状態データのみが動作状態テーブルに記憶される。そして、動作状態テーブルに記憶された動作状態データに基づいて静止電流値ライブラリから各セルの静止電流値が読み出され、各セルの静止電流値が合計されて測定点毎の半導体集積回路装置の静止電流値が精度良く求められる。


【手続補正１７】
【補正対象書類名】明細書
【補正対象項目名】００２２
【補正方法】変更
【補正の内容】
【００２２】
請求項４，９に記載の発明によれば、静止電流値は、半導体集積回路装置を構成するセルの端子における信号値の組合せに基づいてセルに流れる静止電流値であり、静止電流値ライブラリから各セルの静止電流値が読み出され、各セルの静止電流値が合計されて測定点毎の半導体集積回路装置の静止電流値が精度良く求められる。


【手続補正１８】
【補正対象書類名】明細書
【補正対象項目名】００２３
【補正方法】変更
【補正の内容】
【００２３】
請求項５，１０に記載の発明によれば、求められた複数の静止電流値が所望の数だけ選択され、その選択した測定点に対する動作状態データと共に第２テーブルが作成される。そのため、試験装置等の制限に対応する数の測定点及びその測定点の静止電流値が容易で精度良く求められる。


【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項１１に記載の発明によれば、記録媒体には、請求項１乃至５のうちのいずれか１項に記載の静止電流値算出方法を実施するためのプログラムが記録され提供される。